(57)【特許請求の範囲】
【請求項１】
往信用封書部の内方に返信用申込書を有する封書において、前記往信用封書部は、往信用封書外形紙の中央に位置する第一折り部から見開き可能に二つ折りして、前記第一折り部と直交し二つ折りにより相対する辺を剥離可能に貼り合わせてなる封着片を有し、
前記返信用申込書は葉書形態または封書展開形態であり、前記第一折り部に平行な辺の内の一方の辺に第二折り部を介して連接されているとともに、前記第一折り部に沿った方向での長さ寸法を往信用封書部の封着片間寸法より小さくして、前記第二折り部から返信用申込書が往信用封書部内に折り入れられ、
前記往信用封書外形紙における返信用申込書が連接した辺とは反対側の辺には、往信用封書外形紙と返信用申込書との第二折り部側の辺に貼り合わせてなる貼着片を有し、
前記貼着片と、往信用封書外形紙と返信用申込書との第二折り部側の辺とのそれぞれに、開封用ミシン目が重なるようにして設けられて、
前記開封用ミシン目からの前記貼着片と、往信用封書外形紙と返信用申込書との第二折り部側の辺との切り取りにより、往信用封書部の開封と返信用申込書の分離とが可能となる構成としたことを特徴とする返信用申込書付き封書。
【発明の詳細な説明】
【０００１】
【発明の属する技術分野】
本発明は返信用申込書を有する封書に関するものである。
【０００２】
【発明が解決しようとする課題】
従来から金融機関などにおいては、顧客向けに新規サービスなどの案内を行なうとともにその案内を受けた側で手間なく新規サービスなどへの申込書の作成が行なえるように、顧客向けに差し出す案内状に申込書を添えて送付している。そして、封筒に案内状と申込書とを入れて送付する際の手間を軽減するために、今日では、開封して見開くことにより案内情報などを確認できる往信用封書外形紙と申込書とを連接し、これを巻き折りして申込書を内方に位置させた封書を用いるようになってきている。
【０００３】
例えば、図７に示すように、封書１は往信用封書外形紙２をその中央に位置する第一折り部３から二つ折りに折り合わせることによって往信用封書部４が形成され、その往信用封書外形紙２の第一折り部３と平行となる一方の辺に第二折り部５を介して返信用申込書６を連接して、この返信用申込書６が往信用封書部４の内方に折り入れられた状態としている。
この封書１は前記返信用申込書６側から巻き折りしており、第一折り部３や第二折り部５と直交する辺が巻き折りによって対向し、この対向する辺を接着剤にて貼り合わせて封着片７としている。一方、往信用封書外形紙２の返信用申込書６が連接されている側とは反対側の辺が延設され、第三折り部８を介して封緘片９を連接し、その封緘片９を往信用封書外形紙２における第二折り部５側の辺に外方から折り重ねて封緘している。そして、この第三折り部８を間にして封緘片９と往信用封書外形紙２側とに開封用ミシン目１０が重なるようにして設けられている。
【０００４】
封書１を開封するに際して、まず上記開封用ミシン目１０の位置で切り取りを行なう。そして、上記封着片７が、対向する辺同士を点状接着状態で貼り合わせて剥離可能とした構成である場合にはこの封着片７の辺を剥離させ、また、封着片７に沿って切り取り用ミシン目１１が設けられている場合には、この切り取り用ミシン目１１から封着片７を切り取るようにすればよく、巻き折りとは逆方向に開くことで往信用封筒外形紙２と返信用申込書６とが一体となった状態で展開され、前記往信用封筒外形紙２の封書内面側に記載された通知情報などを確認でき、返信用申込書６にも所要の事項を記載できるようにしている。
【０００５】
また、図８に示すように封書１において、往信用封書外形紙２に第二折り部５を介して連接された返信用申込書６から巻き折りするようにして、この返信用申込書６を、第一折り部３から二つ折りされた前記往信用封書外形紙２からなる往信用封書部４の内方に位置させ、往信用封書外形紙２の前記返信用申込書６が連接された辺とは反対側の辺に封緘片９を設け、この封緘片９を返信用申込書６の第二折り部５側の辺に貼り合わせるようにしたものもある。
この封書１では、第一、第二折り部３、５と直交する辺が接着剤を介して剥離可能に貼り合わせる封着片７としている。そして、上記封緘片９にあっては二条の開封用ミシン目１０を備えており、二条の開封用ミシン目１０から封緘片９を切断することで開封でき、封着片７を剥離することで、展開できるようにしているものである。
【０００６】
ところで、これら封書では上述したように開封後に展開すると、往信用封書外形紙と返信用申込書とが連続した一枚の用紙の形態となってしまう。そのため、展開状態の往信用封書外形紙に記載されている情報などを確認しようとする場合に返信用申込書を分離しなければこの返信用申込書も共に取り扱う必要が生じてしまい、封書を展開したときの取り扱いが煩雑になる。そして、返信用申込書を単独に扱うためには、開封後に別操作で往信用封書外形紙から切り離さなければならず、手間を要するという問題がある。
そこで、本発明は上記課題を考慮してなされたもので、往信用封書部の内方に返信用申込書を有する封書において、開封したときに返信用申込書と往信用封書外形紙とを分離させるようにすることを課題とし、開封後の往信用封書外形紙や返信用申込書の取り扱いが容易な往信封書を得ることを目的とするものである。
【０００７】
【課題を解決するための手段】
本発明は上記課題を考慮してなされたもので、往信用封書部の内方に返信用申込書を有する封書において、前記往信用封書部は、往信用封書外形紙の中央に位置する第一折り部から見開き可能に二つ折りして、前記第一折り部と直交し二つ折りにより相対する辺を剥離可能に貼り合わせてなる封着片を有し、前記返信用申込書は葉書形態または封書展開形態であり、前記第一折り部に平行な辺の内の一方の辺に第二折り部を介して連接されているとともに、前記第一折り部に沿った方向での長さ寸法を往信用封書部の封着片間寸法より小さくして、前記第二折り部から返信用申込書が往信用封書部内に折り入れられ、前記往信用封書外形紙における返信用申込書が連接した辺とは反対側の辺には、往信用封書外形紙と返信用申込書との第二折り部側の辺に貼り合わせてなる貼着片を有し、前記貼着片と、往信用封書外形紙と返信用申込書との第二折り部側の辺とのそれぞれに、開封用ミシン目が重なるようにして設けられて、前記開封用ミシン目からの前記貼着片と、往信用封書外形紙と返信用申込書との第二折り部側の辺との切り取りにより、往信用封書部の開封と返信用申込書の分離とが可能となる構成としたことを特徴とする返信用申込書付き封書を提供して、上記課題を解消するものである。
【０００８】
【発明の実施の形態】
つぎに本発明を図１から図６に示す実施の形態に基づいて詳細に説明する。なお、図７と図８とに示す従来例と構成が重複する部分は同符号を付してその説明を省略する。
図１と図２に示すように、封書１は往信用封書部４の内方に返信用申込書６を位置させてなるものである。往信用封書部４は往信用封書外形紙２の中央に位置する第一折り部３から二つ折りして通知情報などを印字、または印刷する情報記載面４ａを封書の内側とし、第一折り部３と直交し二つ折りにより相対する辺を剥離可能に貼り合わせてなる封着片７としている（図３参照）。
封着片７が剥離可能となる構成は、例えば図３に示すように一方の辺に接着剤７ａを塗布するとともに、他方の辺に不連続にして剥離ニス７ｂを塗布したものであり、不連続な剥離ニス７ｂの塗布部分に対して接着剤７ａの塗布部分を重ね合わせることで、不用意な力が加わっただけでは前記封着片７が剥離せず、二つ折り状態となっている往信用封書外形紙２を開く操作をすることでこの封着片７が剥離するようにしている。
なお、不用意な力で剥離しない接着力を有することができれば、剥離ニス７ｂの塗布形態は連続でもよいものである。さらに封着片７を剥離可能に構成する手法は上述のものに限定されるものではなく、公知の手法を採用することができる。
【０００９】
本発明における封書１の返信用申込書６は、往信用封書外形紙２の第一折り部３に平行な辺の内２ａ，２ｂの一方の辺２ｂに第二折り部５を介して連接されている。そして、図３、図４に示すように前記第一折り部３に沿った方向での長さ寸法を封着片間の寸法より小さくしていて、返信用申込書６自体は封着片７にかかることなく前記第二折り部５から往信用封書部４内に折り入れられた状態としているとともに、この返信用申込書６自体もそのほぼ中央に折り部１２を有して、往信用封書部４の内部に収まる大きさにして二つ折りしている。
【００１０】
二つ折りされている返信用申込書６は封書展開形態であって返信用封書を作成できるようにした構成を有している。
図３に示されているように上記往信用封書外形紙２と連続して展開した状態において、往信用封書部４の情報記載面４ａと同一側の面であって、折り部１２から往信用封書外形紙２側の用紙部分には受取人住所氏名などを印字、または印刷してなる返信宛名情報記載部１３が設けられている。また、図４に示されているように、返信用申込書６のもう一方の面には申込事項などを記載するための申込情報記載部１４が設けられている。そして、この申込情報記載部１４がある面の四方が糊代１５として設けられていて、後述するように単独で取り扱えるようになった返信用申込書６においては、前記申込情報記載部１４に所要の情報を記載した後、折り部１２から申込情報記載部１４が内側となるように二つ折りして糊代１５を封着することで返信用封書１６が作成できるようになる（図６参照）。
【００１１】
封書１において、上記返信用申込書６の第二折り部５側の辺６ａと、往信用封書外形紙２における第二折り部５側の辺２ｂにあっては、第二折り部５に沿って開封用ミシン目１０が設けられていて、図２に示されているように、返信用申込書６が往信用封書部４の内部に折り入れられている状態において前記開封用ミシン目１０それぞれが重なるように位置している。なお、返信用申込書６の第二折り部５と反対側の辺６ｂは前記開封用ミシン目１０に重ならないように設定されている。
さらにこの封書１において、往信用封書外形紙２における返信用申込書６が連接した辺２ｂとは反対側の辺２ａに、前記辺２ｂと返信用申込書６の第二折り部５側の辺６ａとに貼り合わせる貼着片１７を有していて、上記封着片７での貼り合わせとこの貼着片１７の第二折り部５側への貼り合わせによって、閉じた状態の封書１が得られている。そして、この貼着片１７に沿って開封用ミシン目１０が設けられていて、この貼着片１７に沿った開封用ミシン目１０は上記第二折り部５側の開封用ミシン目１０と重なる位置としている。
【００１２】
このように前記貼着片１７の辺２ａが往信用封書外形紙２の辺２ｂの一部と返信用申込書６の辺６ａに貼り合わされ、かつ、前記第二折り部５側において三つの開封用ミシン目１０の位置が重なるようになっているため、貼着片１７と辺２ｂ、６ａとを開封用ミシン目１０から切り取れば、往信用封書部４が開封が開封され、図５に示すように上記封着片７を引き開くように剥離させることで情報記載面４ａが見開かれるようになる。また、辺２ｂ，６ａが切り取られているため、返信用申込書６が往信用封書部４から分離された状態となり、返信用申込書６が単独で取り扱えるようになる。
返信用申込書６が単独で取り扱えるようになれば、上述したように申込情報記載部１４に所要の情報を記載し、糊代１５で綴じ合わせるようにすることで、図６に示す返信用封書１６が得られる。
【００１３】
なお、上記実施の例において返信用申込書６を返信用封書が形成できる二つ折りのものとしたが、本発明はこれに限定されるものではない。例えば、折られることなく往信用封書部４内に収まるようにした一枚の紙片状として、分離によって返信用葉書が形成されるものであってもよい。また、この返信用申込書６が葉書形態や封書展開形態であれば三つ折り以上に折り畳まれたものであってもよい。
【００１４】
【発明の効果】
以上説明したように本発明によれば、往信用封書部の内方に返信用申込書を有する封書において、前記往信用封書部は、往信用封書外形紙の中央に位置する第一折り部から見開き可能に二つ折りして、前記第一折り部と直交し二つ折りにより相対する辺を剥離可能に貼り合わせてなる封着片を有し、前記返信用申込書は葉書形態または封書展開形態であり、前記第一折り部に平行な辺の内の一方の辺に第二折り部を介して連接されているとともに、前記第一折り部に沿った方向での長さ寸法を往信用封書部の封着片間寸法より小さくして、前記第二折り部から返信用申込書が往信用封書部内に折り入れられ、前記往信用封書外形紙における返信用申込書が連接した辺とは反対側の辺には、往信用封書外形紙と返信用申込書との第二折り部側の辺に貼り合わせてなる貼着片を有し、前記貼着片と、往信用封書外形紙と返信用申込書との第二折り部側の辺とのそれぞれに、開封用ミシン目が重なるようにして設けられて、前記開封用ミシン目からの前記貼着片と、往信用封書外形紙と返信用申込書との第二折り部側の辺との切り取りにより、往信用封書部の開封と返信用申込書の分離とが可能となる構成としたことを特徴とするものである。
これによって、開封用ミシン目から切り取り操作することにより、往信用封筒部が開封されると同時に往信用封書部と返信用申込書とが分離され、返信用申込書を別個に分離操作するという手間を省くことができる。また、封書形成前の往信用封書外形紙と返信用申込書とが連接した状態で、往信用封書外形紙と返信用申込書とに対して可変情報を同時に出力することができるようなり、往信用封書外形紙の情報と返信用申込書の情報との対応付けが正確になるなど、実用性に優れた効果を奏するものである。
【図面の簡単な説明】
【図１】本発明に係る返信用申込書付き封書の一例を一部切り欠いた状態で示す説明図である。
【図２】一例を断面で示す説明図である。
【図３】連接した往信用封書外形紙と返信用申込書とを展開した状態で一方の片面を示す説明図である。
【図４】同じく往信用封書外形紙と返信用申込書とを展開した状態でもう一方の片面を示す説明図である。
【図５】一例を開封して往信用封書部を展開する状態を示す説明図である。
【図６】返信用申込書からなる返信用封書を示す説明図である。
【図７】従来例を示す説明図である。
【図８】同じく従来例を示す説明図である。
【符号の説明】
１…封書
２…往信用封書外形紙
３…第一折り部
４…往信用封書部
５…第二折り部
６…返信用申込書
７…封着片
１０…開封用ミシン目
１３…返信宛名記載部
１４…申込情報記載部
１６…返信用封書
１７…貼着片
【図１】
0003865369.tif 000002
【図２】
0003865369.tif 000003
【図３】
0003865369.tif 000004
【図４】
0003865369.tif 000005
【図５】
0003865369.tif 000006
【図６】
0003865369.tif 000007
【図７】
0003865369.tif 000008
【図８】
0003865369.tif 000009